(57)【要約】      （修正有）【課題】外観を変化に富むものとし、その取り扱い性を高めることができるハウス玩具を提供する。【解決手段】ハウス玩具１は、下ケース２と、下ケース２の口を開閉可能に覆う上ケース３と、下ケース２及び上ケース３によって囲まれる空間内に収容された装飾部材４と、を備え、装飾部材４は、下ケース２に支持されており、上ケース３には、装飾部材４の一部を露呈させる開口１３が設けられている。【選択図】図２
2014200284.tif 000002
【特許請求の範囲】
【請求項１】
下ケースと、
前記下ケースの口を開閉可能に覆う上ケースと、
前記上ケース及び前記下ケースによって囲まれる空間内に収容された装飾部材と、
を備え、
前記装飾部材は、前記下ケースに支持されており、
前記上ケースには、前記装飾部材の一部を露呈させる開口が設けられているハウス玩具。
【請求項２】
請求項１に記載のハウス玩具であって、
前記装飾部材は、前記下ケースに対して着脱可能であるハウス玩具。
【請求項３】
請求項２に記載のハウス玩具であって、
前記装飾部材を前記下ケースに着脱可能に固定するロック部を備えるハウス玩具。
【請求項４】
請求項３に記載のハウス玩具であって、
前記ロック部は、前記装飾部材が前記下ケースに対して回転されることによって、前記装飾部材を前記下ケースに固定するロック状態とロック解除状態とに切り替えられるハウス玩具。
【請求項５】
請求項４に記載のハウス玩具であって、
前記装飾部材の少なくとも前記開口を通して露呈する一部は、前記ロック状態と前記非ロック状態との間での前記装飾部材の回転角度に対して非回転対称な形状に形成されているハウス玩具。
【請求項６】
請求項２から５のいずれか一項に記載のハウス玩具であって、
前記下ケースに設置される床部材を備え、
前記装飾部材は、床部材の一部に設置されているハウス玩具。
【請求項７】
請求項６に記載のハウス玩具であって、
前記装飾部材は、前記床部材の前記一部と一体に前記下ケースに着脱されるハウス玩具。
【請求項８】
請求項１から７のいずれか一項に記載のハウス玩具であって、
前記装飾部材は、前記上ケースが前記下ケースの口を閉じた状態で、前記開口の縁と接触し、又は前記開口の縁に近接して配置されており、前記上ケースを支持可能であるハウス玩具。
【請求項９】
請求項１から８のいずれか一項に記載のハウス玩具であって、
前記装飾部材は、該ハウス玩具の外形に対応した形状に形成されているハウス玩具。
【請求項１０】
請求項１から９のいずれか一項に記載のハウス玩具であって、
前記上ケースは、前記下ケースに対して回動可能に該下ケースに取り付けられているハウス玩具。
【請求項１１】
請求項１から１０のいずれか一項に記載のハウス玩具と、
前記ハウス玩具を認識し、認識画像から該ハウス玩具の種別を判別して、該ハウス玩具の種別に対応した画像を表示させる表示装置と、
を備える遊戯システム。
【請求項１２】
請求項１１に記載の遊戯システムであって、
前記表示装置は、前記ハウス玩具の前記上ケースを開いた状態における前記下ケースの口の外形に基づいて該ハウス玩具の種別を判別する遊戯システム。
【請求項１３】
請求項１から１０のいずれか一項に記載のハウス玩具を認識して得られる認識画像から該ハウス玩具の種別を判別する画像認識ステップと、
前記画像認識ステップで判別した前記ハウス玩具の種別に基づいて該ハウス玩具の種別に対応した画像を表示装置に表示させる画像表示ステップと、
の各ステップをコンピュータに実行させるプログラム。
【請求項１４】
請求項１３に記載のプログラムであって、
前記画像認識ステップでは、前記ハウス玩具の前記上ケースを開いた状態における前記下ケースの口の外形に基づいて該ハウス玩具の種別を判別するプログラム。
【発明の詳細な説明】
【技術分野】
【０００１】
本発明は、ハウス玩具、及びハウス玩具を備える遊戯システム、並びにプログラムに関する。
【背景技術】
【０００２】
開閉可能に構成されたケースの内部に、洋服タンスなどの家具や鏡などの雑貨を模したミニチュアを収納してなるハウス玩具が知られている（例えば、特許文献１参照）。
【先行技術文献】
【特許文献】
【０００３】
【特許文献１】実開昭６０−７３６００号公報
【発明の概要】
【発明が解決しようとする課題】
【０００４】
この種のハウス玩具は、持ち運びの利便性等を考慮して比較的扁平に形成されており、そのため外観が単調になりがちであって、また、ケースの保持がままならずにケースの開放に手こずる場合があった。
【０００５】
本発明は、上述した事情に鑑みなされたものであり、変化に富む外観を有し、且つ取り扱い性に優れるハウス玩具を提供することを目的の一つとする。
【課題を解決するための手段】
【０００６】
本発明に係るハウス玩具は、下ケースと、前記下ケースの口を開閉可能に覆う上ケースと、前記上ケース及び前記下ケースによって囲まれる空間内に収容された装飾部材と、を備え、前記装飾部材は、前記下ケースに支持されており、前記上ケースには、前記装飾部材の一部を露呈させる開口が設けられていることを特徴とする。
【０００７】
また、本発明に係るハウス玩具においては、前記装飾部材は、前記下ケースに対して着脱可能であってもよい。
【０００８】
また、本発明に係るハウス玩具においては、前記装飾部材を前記下ケースに着脱可能に固定するロック部を備えてもよい。
【０００９】
また、本発明に係るハウス玩具においては、前記ロック部は、前記装飾部材が前記下ケースに対して回転されることによって、前記装飾部材を前記下ケースに固定するロック状態とロック解除状態とに切り替えられるようにしてもよい。
【００１０】
また、本発明に係るハウス玩具においては、前記装飾部材の少なくとも前記開口を通して露呈する一部は、前記ロック状態と前記非ロック状態との間での前記装飾部材の回転角度に対して非回転対称な形状に形成されていてもよい。
【００１１】
また、本発明に係るハウス玩具においては、前記下ケースに設置される床部材を備え、前記装飾部材は、床部材の一部に設置されていてもよい。
【００１２】
また、本発明に係るハウス玩具においては、前記装飾部材は、前記床部材の前記一部と一体に前記下ケースに着脱されるようにしてもよい。
【００１３】
また、本発明に係るハウス玩具においては、前記装飾部材は、前記上ケースが前記下ケースの口を閉じた状態で、前記開口の縁と接触し、又は前記開口の縁に近接して配置されており、前記上ケースを支持可能であってもよい。
【００１４】
また、本発明に係るハウス玩具においては、前記装飾部材は、該ハウス玩具の外形に対応した形状に形成されていてもよい。
【００１５】
また、本発明に係るハウス玩具においては、前記上ケースは、前記下ケースに対して回動可能に該下ケースに取り付けられていてもよい。
【００１６】
また、本発明に係る遊戯システムは、前記ハウス玩具と、前記ハウス玩具を認識し、認識画像から該ハウス玩具の種別を判別して、該ハウス玩具の種別に対応した画像を表示させる表示装置と、を備えていることを特徴とする。
【００１７】
また、本発明に係る遊戯システムにおいては、前記表示装置は、前記ハウス玩具の上ケースを開いた状態における下ケースの口の外形に基づいて該ハウス玩具の種別を判別することとしてもよい。
【００１８】
また、本発明に係るプログラムは、前記ハウス玩具を認識して得られる認識画像から該ハウス玩具の種別を判別する画像認識ステップと、前記画像認識ステップで判別した前記ハウス玩具の種別に基づいて該ハウス玩具の種別に対応した画像を表示装置に表示させる画像表示ステップと、の各ステップをコンピュータに実行させることを特徴とする。
【００１９】
また、本発明に係るプログラムにおいては、前記画像認識ステップでは、前記ハウス玩具の上ケースを開いた状態における下ケースの口の外形に基づいて該ハウス玩具の種別を判別することとしてもよい。
【発明の効果】
【００２０】
本発明によれば、ハウス玩具の外観を変化に富むものとし、その取り扱い性を高めることができる。
【図面の簡単な説明】
【００２１】
【図１】本発明の実施形態を説明するためのハウス玩具の一例を示し、ケースが閉じられた状態を示す図である。
【図２】図１のハウス玩具のケースが開かれた状態を示す図である。
【図３】図１のハウス玩具のケースを破断して内部構造を示す図である。
【図４】図１のハウス玩具のケースの開放操作を示す図である。
【図５】図１のハウス玩具を分解して示す図である。
【図６】図１のハウス玩具の装飾部材を固定するロック部の構成を示す図である。
【図７】図１のハウス玩具の装飾部材を固定するロック部の構成を示す図である。
【図８】本発明の実施形態を説明するためのハウス玩具の他の例を示す図である。
【図９】本発明の実施形態を説明するための遊戯システムの一例の構成を示す図である。
【図１０】図９の遊戯システムの表示装置の機能ブロックを示す図である。
【発明を実施するための形態】
【００２２】
図１から図３は、本発明の実施形態を説明するためのハウス玩具の一例を示す。
【００２３】
図１から図３に示すハウス玩具１は、下ケース２と、下ケース２の口を開閉可能に覆う上ケース３と、下ケース２及び上ケース３によって囲まれる内部空間内に収容された装飾部材４とを備えている。
【００２４】
下ケース２及び上ケース３によって囲まれる内部空間内には、さらに、室内の床を模した床部材５が収容されている。この床部材５には、バスタブやトイレやテーブルやソファーなどの家具を模したミニチュア６ａ〜６ｄ、スリッパやクッションやカップなどの雑貨を模したミニチュア６ｅ〜６ｇ、等が適宜な箇所に設置されている。
【００２５】
上ケース３はヒンジ６を介して下ケース２に回動可能に連結されており、ヒンジ６を中心に上ケース３が回動されることによって下ケース２の口が開閉される。上ケース３の開閉端には係止爪１０が設けられており、下ケース２には、上ケース３の係止爪１０と係合する被係止部１１が設けられている。係止爪１０と被係止部１１とが互いに係合することで、上ケース３は、下ケース２の口を閉じた状態で下ケース２に固定される。
【００２６】
このハウス玩具１は、化粧小物としてのコンパクトの形態を模したものとなっており、全体として略ハート型を呈し、比較的扁平に形成されている。ハウス玩具１の携帯性を高める観点から、下ケース２及び上ケース３は樹脂で形成されており、その肉厚は比較的薄く（１〜２ｍｍ）され、軽量化が図られている。また、下ケース２には、携帯用ストラップが挿通される挿通孔１２が設けられている。
【００２７】
上ケース３は、ドーム状の多面体構造とされている。それにより、上ケース３が平滑である場合に比べて、上ケース３の強度が高められ、また、ハウス玩具１の外観が変化に富むものとなる。
【００２８】
そして、上ケース３には、装飾部材４の一部を露呈させる略円形状の開口１３が形成されている。なお、上ケース３の開口１３は、図示の例では略円形状に形成されているが、装飾部材４の一部を露呈させる限りにおいて、その形状は特に限定されない。
【００２９】
装飾部材４は、図示の例では、ハウス玩具１の外観に対応して略ハート型に形成されており、且つ、開口１３を通して露呈する上面は多面体に形成されている。そして、装飾部材４は、床部材５に取り付けられ、床部材５を介して下ケース２に支持されている。
【００３０】
上ケース３が開かれた状態で装飾部材４の全体が視認されるのに対し、上ケース３が閉じられた状態では装飾部材４の一部が上ケース３の開口１３を通して視認される。それにより、ハウス玩具１の外観がさらに変化に富むものとなる。
【００３１】
さらに図示の例では、装飾部材４は、上ケース３が閉じられた状態で、上ケース３の開口１３の縁に接触するか、又は開口１３の縁に僅かな隙間をあける位置に配置されている。上ケース３を内部空間側に凹ませる外力が上ケース３に作用した場合に、上ケース３は装飾部材４を介して下ケース２によって支持される。それにより、上ケース３の変形や破損が防止ないし抑制される。
【００３２】
図４は、上ケース３の開放操作の一例を示す。
【００３３】
上ケース３の開放操作において、例えばユーザは、一方の手で下ケース２を支持し、他方の手を上ケース３に添えて、下ケース２の被係止部１１及び上ケース３の係止爪１０の各々に両の手の指を掛け、上ケース３に添えた手の他の指で上ケース３の開口１３を通して装飾部材４を押し込む。装飾部材４を押し込む反動で、係止爪１０及び被係止部１１の係合が解除され、係止爪１０が設けられている上ケース３の開閉端が引き上げられる。それにより、上ケース３が開放される。
【００３４】
ここで、装飾部材４の押し込みによらずに上ケース３を開放させることもできるが、その場合に、ユーザは、上ケース３の開閉端の引き上げに対して下ケース２をしっかりと把持して引きとめておく必要があり、下ケース２が比較的扁平である場合には、特に下ケース２の把持に相応の力を要する。これに対して、装飾部材４の押し込みによる開放操作では、ユーザは、装飾部材４の押し込みを受け止めるように下ケース２を支持することで足りる。そのため、ハウス玩具１の主たるユーザとして想定される女児等、比較的手が小さく、また比較的握力が弱いユーザであっても、上ケース３を容易に開放することができる。
【００３５】
図５は、装飾部材４及び床部材５の詳細な構成を示す。
【００３６】
床部材５は、下ケース２に固着されたベース部２０と、ベース部２０に対して着脱可能に構成された着脱部２１とを含んで構成されている。
【００３７】
床部材５に設置される上記の家具や雑貨を模したミニチュアは、ベース部２０において着脱部２１の設置領域の周辺の領域に設置されている。また、ベース部２０の周辺領域には、人形を設置可能な凹部７も形成されている。
【００３８】
装飾部材４は、着脱部２１に取り付けられており、着脱部２１と一体に、ベース部２０に対して、つまりは下ケース２に対して着脱される。そこで、装飾部材４を形状や色彩の異なる装飾部材と交換することができ、それにより、ハウス玩具１に新たな外観を与えることができる。
【００３９】
そして、ハウス玩具１には、装飾部材４及び着脱部２１をベース部２０に固定するロック部が設けられている。詳細は後述するが、装飾部材４が着脱部２１に回転可能に取り付けられており、上記のロック部は、装飾部材４の回転操作に伴って、装飾部材４及び着脱部２１をベース部２０に固定するロック状態とロック解除状態とに切り替えられる。
【００４０】
本例では、略ハート型に形成されている装飾部材４が、その尖頭部と凹基部とを結ぶ中心線Ｃ１を同じく略ハート型に形成されている下ケース２の中心線Ｃ２と平行させる姿勢（以下、ロック姿勢という）にあるときに、上記のロック部はロック状態とされ、装飾部材４が、ロック姿勢から９０°回転され、その中心線Ｃ１を下ケース２の中心線Ｃ２に直交させる姿勢にあるときに、上記のロック部はロック解除状態とされる。
【００４１】
図６及び図７はロック部の構成を示す。
【００４２】
ロック部２２は、着脱部２１に回転可能に支持された軸部材３０と、軸部材３０の先端部に設けられた係止部３１と、ベース部２０に設けられた被係止部３２とを含んで構成されている。
【００４３】
装飾部材４は軸部材３０の基端部に固着されており、軸部材３０は、装飾部材４の回転操作に伴って、装飾部材４と一体に回転する。
【００４４】
係止部３１は、図示の例では、一対の係止片３３で構成されており、これらの係止片３３は、軸部材３０を挟んで対称に、軸部材３０の外径側に突出して設けられている。
【００４５】
被係止部３２は、ベース部２０における着脱部２１の設置領域を台状に膨出させて形成されており、被係止部３２と下ケース２との間には、軸部材３０の先端部及び係止部３１を収容可能な空間が設けられている。
【００４６】
そして、被係止部３２には、軸部材３０の回転角度、つまりは装飾部材４の姿勢に応じて、係止部３１の通過を許容し又は阻止する開口３４が形成されている。本例では、互いに対称に軸部材３０の外径側に突出して設けられた一対の係止片３３に対応して、開口３４は略長方形状に形成されている。
【００４７】
図６は、装飾部材４がロック姿勢とされ、ロック部２２がロック状態にある場合を示している。一対の係止片３３は、被係止部３２と下ケース２との間の収容空間内において、被係止部３２の開口３４の延在方向と略直交する方向に並び、開口３４の縁に係合して配置されている。そのため、一対の係止片３３は、開口３４の通過を阻止され、着脱部２１及び装飾部材４は、ベース部２０に固定される。
【００４８】
図７は、装飾部材４がロック姿勢から９０°回転され、ロック部２２がロック解除状態にある場合を示している。一対の係止片３３は、被係止部３２と下ケース２との間の収容空間内において、被係止部３２の開口３４の延在方向と平行な方向に並び、開口３４に重なって配置されている。そのため、一対の係止片３３は、開口３４の通過を許容され、着脱部２１及び装飾部材４は、ベース部２０から取り外し可能とされる。
【００４９】
ここで、上ケース３の開口１３を通して露呈する装飾部材４の上面は多面体に形成されており、ロック状態とロック解除状態との間での装飾部材４の回転角度（９０°）に対して非回転対称となっている。従って、図６（Ｂ）及び図７（Ｂ）に示すとおり、開口１３を通して視認される装飾部材４の上面の一部は、ロック状態とロック解除状態とで見え方が異なり、上ケース３が閉じられた状態で、ロック部２２がロック状態にあるかロック解除状態にあるかの判別が可能となる。それにより、例えばロック部２２がロック解除状態にあるときに上ケース３が不用意に開かれることで装飾部材４が落下することを防止ないし抑制することができる。
【００５０】
このように、ハウス玩具１は、外観が変化に富み、また、取り扱い性にも優れる。なお、上述したハウス玩具１は、全体として略ハート型を呈し、装飾部材４もまた略ハート型に形成されるものとして説明したが、例えば図８に示すように、全体として略星型を呈し、装飾部材４もまた略星型に形成されていてもよく、その形状は特に限定されない。
【００５１】
図９は、本発明の実施形態を説明するための遊戯システムの一例を示す。
【００５２】
図９に示す遊戯システム１００は、上述したハウス玩具１と、表示装置とを備えている。表示装置として、図示の例ではスマートフォン１００が用いられているが、例えば携帯電話機や携帯ゲーム機などのカメラ及び表示画面を有する携帯端末も好適に用いることができる。
【００５３】
スマートフォン１００は、カメラ部１０１と、表示入力部１０２とを備えている。ユーザがカメラ部１０１によってハウス玩具１を認識すると、スマートフォン１００は認識画像からハウス玩具１の種別を判別し、このハウス玩具１の種別に対応した画像を表示入力部１０２に表示させる。表示入力部１０２に表示される画像としては、キャラクタ画像を例示することができる。
【００５４】
図１０は、スマートフォン１００の機能ブロックを示す。
【００５５】
スマートフォン１００は、その主たる構成要素として、上記のカメラ部１０１及び表示入力部１０２に加え、無線通信部１０３と、通話部１０４と、操作部１０５と、記憶部１０６と、電源部１１０７と、主制御部１０８とを備えている。
【００５６】
カメラ部１０１は、ＣＣＤ（Charge Coupled Device）イメージセンサやＣＭＯＳ（Complementary
Metal Oxide Semiconductor）イメージセンサなどの固体撮像素子と、固体撮像素子の受像面に結像する光学系とを有しており、主制御部１０８の制御により、光学系によって取り込まれた像を電気信号に変換して画像データとして出力する。
【００５７】
表示入力部１０２は、いわゆるタッチパネルであって、表示パネル１１０と、操作パネル１１１とを有しており、主制御部１０８の制御により、画像（静止画像および動画像）や文字情報などを表示して視覚的にユーザに情報を伝達し、且つ表示した情報に対するユーザ操作を検出する。
【００５８】
無線通信部１０３は、主制御部１０８の制御により、移動通信網の基地局装置に対し無線通信を行う。スマートフォン１００は、この無線通信を使用して、音声データ、画像データ、電子メールデータ、Ｗｅｂデータなどの各種データの送受信を行う。
【００５９】
通話部１０４は、スピーカ１１２と、マイクロホン１１３とを有しており、マイクロホン１１３を通じて入力されたユーザの音声を主制御部１０８にて処理可能な音声データに変換して主制御部１０８に出力し、また、無線通信部１０３により受信された音声データを復号してスピーカ１１２から出力する。
【００６０】
操作部１０５は、キースイッチなどを用いたハードウェアキーであって、ユーザからの指示を受け付ける。
【００６１】
記憶部１０６は、主制御部１０８の制御プログラムや制御データ、アプリケーションソフトウェア、通信相手の名称や電話番号などを対応づけたアドレスデータ、送受信した電子メールデータ、ＷｅｂブラウジングによりダウンロードしたＷｅｂデータを記憶する。
【００６２】
電源部１０７は、主制御部１０８の指示にしたがって、バッテリ（図示せず）に蓄えられた電力をスマートフォン１０１の各部に供給する。
【００６３】
主制御部１０８は、マイクロプロセッサを有しており、記憶部１０６に記憶された制御プログラムや制御データにしたがって動作し、スマートフォン１００の各部を統括して制御する。そして、主制御部１０８は、アプリケーション処理機能を備える。
【００６４】
アプリケーション処理機能は、記憶部１０６に記憶されたアプリケーションソフトウェアにしたがって主制御部１０８が動作することにより実現される。アプリケーション処理機能としては、電子メールの送受信を行う電子メール機能、Ｗｅｂページを閲覧するＷｅｂブラウジング機能、等を例示することができる。
【００６５】
そして、ハウス玩具１の種別に対応した画像表示を行う機能もまた、対応するアプリケーションソフトウェアにしたがって主制御部１０８が動作することにより実現される。
【００６６】
表示入力部１０２におけるユーザ操作によって、ハウス玩具用アプリケーションソフトウェアが起動されると、主制御部１０８は、ハウス玩具用アプリケーションソフトウェアにしたがって、まずハウス玩具１の認識を促すメッセージ（画像や文字情報）を表示入力部１０２に表示させる。次いで、主制御部１０８は、ユーザ操作による認識指示に応答してカメラ部１０１を駆動し、ハウス玩具１の認識画像データをカメラ部１０１から出力させる。次いで、主制御部１０８は、カメラ部１０１から出力されたハウス玩具１の認識画像データに対し、輪郭抽出やパターンマッチングなどの適宜な画像認識処理を行い、ハウス玩具１の種別を判別する。
【００６７】
ハウス玩具１の種別の判別は、例えば、ハウス玩具１の上ケース３を開いた状態における下ケース２の口の外形（ハート型、星型、等）に基づいて行うことができる。このように構成することで、ハウス玩具１に別途ＱＲコード（登録商標）などの識別コードを付す必要がなく、下ケースの口の外形を有効利用することが可能となる。なお、下ケースの口の外形を利用することが困難な場合は、下ケース２の内表面などのハウス玩具１の適宜な箇所にＱＲコード（登録商標）などの識別コードを付しておき、認識画像データに含まれる識別コードに基づいてハウス玩具１の種別を判別するようにしてもよい。
【００６８】
そして、主制御部１０８は、ハウス玩具用アプリケーションソフトウェアに付属するハウス玩具の種別毎のキャラクタ画像データ群のなかから、ハウス玩具１の種別に対応するキャラクタ画像データを選択し、これを表示入力部１０２に表示させる。これにより、表示入力部１０２においては、ハウス玩具１の認識画像データと共に、キャラクタ画像データが表示され、恰もキャラクタがハウス玩具で生活しているかの如き画像を表現することができる。
【００６９】
以上の遊戯システムによれば、ハウス玩具１を用いた遊戯のバリエーションを広げることができる。
【符号の説明】
【００７０】
１     ハウス玩具
２     下ケース
３     上ケース
４     装飾部材
５     床部材
１３   開口
２０   ベース部
２１   着脱部
２２   ロック部
【図１】
2014200284.tif 000003
【図２】
2014200284.tif 000004
【図３】
2014200284.tif 000005
【図４】
2014200284.tif 000006
【図５】
2014200284.tif 000007
【図６】
2014200284.tif 000008
【図７】
2014200284.tif 000009
【図８】
2014200284.tif 000010
【図９】
2014200284.tif 000011
【図１０】
2014200284.tif 000012
【手続補正書】
【提出日】平成25年5月30日(2013.5.30)
【手続補正１】
【補正対象書類名】特許請求の範囲
【補正対象項目名】請求項５
【補正方法】変更
【補正の内容】
【請求項５】
請求項４に記載のハウス玩具であって、
前記装飾部材の少なくとも前記開口を通して露呈する一部は、前記ロック状態と前記ロック解除状態との間での前記装飾部材の回転角度に対して非回転対称な形状に形成されているハウス玩具。
【手続補正２】
【補正対象書類名】明細書
【補正対象項目名】００１０
【補正方法】変更
【補正の内容】
【００１０】
また、本発明に係るハウス玩具においては、前記装飾部材の少なくとも前記開口を通して露呈する一部は、前記ロック状態と前記ロック解除状態との間での前記装飾部材の回転角度に対して非回転対称な形状に形成されていてもよい。